(57)【要約】【課題】患者が自分で身体を動かすことなく、必要なときに患者が寝ているベッドに装着して、患者の尖足防止対策を行うことができるベッド用フットレストを提供する。【解決手段】ベッド用フットレスト１は、１対の支持部材５がベッドの幅方向の両端部にて、足ボトムに着脱自在に固定されるので、尖足防止対策が必要なときに患者が寝ているベッドにこのベッド用フットレスト１を装着して、患者の尖足防止対策を行うことができる。また、このベッド用フットレスト１の１対の回転部材７及び１対の回転受け部材６とが相対的に回転することにより当て板２の角度を調節し、この１対の回転部材７が当て板２の裏面に形成された１対のガイド３３に沿って移動することにより当て板２のベッドの高さ方向の位置を調節するので、患者の足首の角度に合わせて、患者がその足裏を当て板２に当接させることができる。【選択図】図１
2013223544.tif 000002
【特許請求の範囲】
【請求項１】
ベッドの幅方向の両端部にて、足ボトムに着脱自在に固定される１対の支持部材と、
この各支持部材に対し、ベッドの長手方向に移動可能に且つ移動域の任意の位置で固定可能に設けられた１対の回転受け部材と、
この各回転受け部材に回転可能に且つ所定の回転位置で固定可能に支持される１対の回転部材と、
表面に被介護者がその足裏を当て、裏面にて前記１対の回転部材に対しベッドの幅方向に垂直の方向に移動可能に支持された１又は２枚の当て板と、
を有することを特徴とするベッド用フットレスト。
【請求項２】
前記当て板の前記足裏を当てる面に取り付けられ、柔軟性を有する軟質素材からなるクッションを有することを特徴とする請求項１に記載のベッド用フットレスト。
【請求項３】
前記支持部材は、ベッドの長手方向に延びるガイド部材を有し、
少なくとも一方の前記回転受け部材は、
前記ガイド部材に沿って移動する第１移動部と、
この第１移動部を前記ガイド部材に対して固定可能の位置調整ノブと、
前記第１移動部に固定され前記回転部材を支持する回転受け部と、
を有することを特徴とする請求項１又は２に記載のベッド用フットレスト。
【請求項４】
前記当て板の裏面には、ベッドの幅方向に垂直の方向に延びるガイドが形成されており、
前記回転部材は、
前記ガイドに沿って移動する第２移動部と、
この第２移動部を前記ガイドに対し固定し又は固定を解除することができる固定部材と、
前記第２移動部から立設し前記回転受け部に回転可能に支持される回転部と、
を有することを特徴とする請求項３に記載のベッド用フットレスト。
【請求項５】
前記１対の回転部材の前記回転部を相互に連結する連結軸を有し、
前記当て板は、前記１対の回転部材に共通して支持された１個の部材であることを特徴とする請求項４に記載のベッド用フットレスト。
【請求項６】
ベッドのフットボードに装着可能の基部と、
ベッドの幅方向に延び、前記基部に固定された支持軸と、
この支持軸におけるベッドの幅方向の２カ所に、回転可能に且つ所定の回転位置で固定可能に支持される１対の支持部と、
各支持部に一体的に設けられ被介護者がその足裏を当てる１対の当て板と、
を有することを特徴とするベッド用フットレスト。
【請求項７】
ベッドの両側部にて足ボトムに立設された１対の固定部材と、
被介護者がその足裏を当てる当て板と、
前記各固定部材に回転可能に支持された第１リンクと、
前記当て板の裏面におけるベッド幅方向の２カ所にて、ベッド幅方向に垂直の方向に延びる当て板支持部と、
前記各当て板支持部におけるベッド高さ方向の低位置で回転可能に支持された第２リンクと、
前記各当て板支持部におけるベッド高さ方向の高位置で回転可能に支持された第３リンクと、
前記第２リンクに回転可能に連結された第４リンクと、
を有し、
前記第１リンクと前記第２リンクはそれらの長手方向に相互に移動可能に連結されており、
前記第３リンクと前記第４リンクはそれらの長手方向に相互に移動可能に連結されており、
各リンクの相互移動位置は夫々固定部材により固定されることを特徴とするベッド用フットレスト。
【請求項８】
更に、前記各固定部材の第１リンクを支持する位置よりもベッド高さ方向の低位置で回転可能に支持された第５リンクと、
前記第２リンクに回転可能に連結された第６リンクと、
を有し、
前記第５リンクと前記第６リンクはそれらの長手方向に相互に移動可能に連結されており、
各リンクの相互移動位置は夫々固定部材により固定されることを特徴とする請求項７に記載のベッド用フットレスト。
【発明の詳細な説明】
【技術分野】
【０００１】
本発明は、医療及び介護において、ベッドに長期間寝ている患者の足関節が拘縮し、患者が尖足になることを防止するベッド用フットレストに関する。
【背景技術】
【０００２】
医療現場及び介護現場において、療養中の患者又は歩行困難となっている患者等は、長期間ベッドに寝ている状態にある。しかし、長期間ベッドに寝ている状態のままでいると、患者の足関節が拘縮し尖足になってしまうことがある。これは、患者の足が重力に逆らえずベッドに平行の方向に曲がってしまうことにより起きたり、又は患者に掛けられる掛け布団からの足への圧迫等により起こるものである。そこで、患者が尖足になることを防ぐために、ベッドの足側のフットボードと患者の足との間に段ボール箱、毛布等（リネン）又はクッションを置き、患者の足裏をこの段ボール箱、リネン又はクッションに当接させて足がベッドに平行の方向に曲がらないように支持することが行われている。また、患者が尖足になることを防ぐために、近年では、理学療法士又は看護師が、患者の入院後早期から患者の関節可動域訓練及びマッサージ等を行うこともある。しかし、フットボードと患者の足裏との間に段ボール箱、リネン又はクッションを置く場合、段ボール箱は耐久性が低いので患者が足を踏ん張ったときに段ボール箱を破損する虞があり、またリネン及びクッションは柔らかい素材であるので患者の足首の角度を一定に保つ効果は低い。また、理学療法士又は看護師がマッサージを行う場合、理学療法士又は看護師の負担が増加し、患者１人１人に対し十分なケアを施すことができない。そこで、患者が尖足になることを防ぐために、以下のような提案がなされている。
【０００３】
特許文献１には、ベッドに固定された支持柱に２個の足当接板をベッドの長手方向に進退可能に設け、一方の足当接板を足で押し込んだときに、他方の足当接板が進退機構により押し戻されるように構成した足進退装置が開示されている。この従来技術は、ベッドに寝ている患者がその足裏を左右の足当接板に当接させ、両足を交互に進退させることによって、患者の足関節の拘縮及び尖足を防止するものである。
【０００４】
また、特許文献２には、患者の足首の下に支台を設け、この支台に対して回転可能の運動板を設置し、運動板の背後にバネを設け、患者の足をこの運動板に載せて、足首を動かす自動足首関節屈伸運動機が開示されている。この自動足首関節屈伸運動機の運動板に患者がその足裏を当接させ、患者がこの運動板を強く踏めば、運動板の背後に設けられたバネによって、患者の足が押し戻される。この従来技術は、患者がその足裏を左右の運動板に当接させ、ベッド上で疑似的に歩行することによって、患者の足関節の拘縮及び尖足を防止するものである。
【０００５】
更に、特許文献３には、立体の台形又は三角形状からなる弾性材質を布等で被覆した足首安楽補助具本体と、この本体をベッドに固定するためのベルトを有する足首安楽補助具が開示されている。この足首安楽補助具に設けられたベルトを、ベッドの幅方向にベッドを一周して巻きつけることによって、足首安楽補助具本体がベッド上で固定される。この従来技術は、この立体の台形又は三角形状からなる足首安楽補助具本体の平坦部に患者が足裏を当接させ、足がベッドに平行の方向に曲がらないように足首安楽補助具が患者の足を支持することによって、患者の足関節の拘縮及び尖足を防止するものである。
【０００６】
更にまた、特許文献４には、ベッドの足側のフットボードをベッドの長手方向に位置調節可能に設けた尖足対策ベッド装置が開示されている。これにより、この従来技術は、患者がその足裏をフットボードに当接させ、足をすねに対して垂直に保つことにより、患者の足関節の拘縮及び尖足を防止するものである。
【先行技術文献】
【特許文献】
【０００７】
【特許文献１】実開平０５−０９１６５４号公報
【特許文献２】特開２０００−３３４０６７号公報
【特許文献３】特開２００８−００６２３８号公報
【特許文献４】特開２００６−１３６６６８号公報
【発明の概要】
【発明が解決しようとする課題】
【０００８】
しかしながら、特許文献１及び２においては、前述したように患者自身が足を動かすことによって、足関節の拘縮及び尖足を防止するものである。つまり、これらの従来技術は、ある程度運動能力がある患者が自分で足首の訓練をするためのものであるので、身体を動かすことが不自由な患者が特許文献１における足身体装置及び特許文献２における自動足首関節屈伸運動機を用いても、患者が自分で足を動かすことが困難である以上、患者の尖足防止という効果を得ることはできない。
【０００９】
また、特許文献３においては、足首安楽補助具をベルトによりベッドに固定するので、足首安楽補助具に対し患者が足を踏ん張ったときに、足首安楽補助具の位置がずれたり、ベッドから外れてしまう虞がある。更に、特許文献４における尖足対策ベッドは尖足防止対策のための専用ベッドであり、汎用性がない。
【００１０】
本発明はかかる問題点に鑑みてなされたものであって、患者が自分で身体を動かすことなく、必要なときに患者が寝ているベッドに装着して、患者の尖足防止対策を行うことができるベッド用フットレストを提供することを目的とする。
【課題を解決するための手段】
【００１１】
本願第１発明に係るベッド用フットレストは、ベッドの幅方向の両端部にて、足ボトムに着脱自在に固定される１対の支持部材と、この各支持部材に対し、ベッドの長手方向に移動可能に且つ移動域の任意の位置で固定可能に設けられた１対の回転受け部材と、この各回転受け部材に回転可能に且つ所定の回転位置で固定可能に支持される１対の回転部材と、表面に被介護者がその足裏を当て、裏面にて前記１対の回転部材に対しベッドの幅方向に垂直の方向に移動可能に支持された１又は２枚の当て板と、を有することを特徴とする。
【００１２】
本願第１発明においては、例えば、前記当て板の前記足裏を当てる面に取り付けられ、柔軟性を有する軟質素材からなるクッションを有する。
【００１３】
また、本願第１発明においては、前記支持部材は、ベッドの長手方向に延びるガイド部材を有し、少なくとも一方の前記回転受け部材は、前記ガイド部材に沿って移動する第１移動部と、この第１移動部を前記ガイド部材に対して固定可能の位置調整ノブと、前記第１移動部に固定され前記回転部材を支持する回転受け部と、を有するように構成しても良く、更に、前記当て板の裏面には、ベッドの幅方向に垂直の方向に延びるガイドが形成されており、前記回転部材は、前記ガイドに沿って移動する第２移動部と、この第２移動部を前記ガイドに対し固定し又は固定を解除することができる固定部材と、前記第２移動部から立設し前記回転受け部に回転可能に支持される回転部と、を有するように構成しても良い。
【００１４】
更にまた、本願第１発明においては、前記１対の回転部材の前記回転部を相互に連結する連結軸を有し、前記当て板は、前記１対の回転部材に共通して支持された１個の部材であるように構成しても良い。
【００１５】
本願第２発明に係るベッド用フットレストは、ベッドのフットボードに装着可能の基部と、ベッドの幅方向に延び、前記基部に固定された支持軸と、この支持軸におけるベッドの幅方向の２カ所に、回転可能に且つ所定の回転位置で固定可能に支持される１対の支持部と、各支持部に一体的に設けられ被介護者がその足裏を当てる１対の当て板と、を有することを特徴とする。
【００１６】
本願第３発明に係るベッド用フットレストは、ベッドの両側部にて足ボトムに立設された１対の固定部材と、被介護者がその足裏を当てる当て板と、前記各固定部材に回転可能に支持された第１リンクと、前記当て板の裏面におけるベッド幅方向の２カ所にて、ベッド幅方向に垂直の方向に延びる当て板支持部と、前記各当て板支持部におけるベッド高さ方向の低位置で回転可能に支持された第２リンクと、前記各当て板支持部におけるベッド高さ方向の高位置で回転可能に支持された第３リンクと、前記第２リンクに回転可能に連結された第４リンクと、を有し、前記第１リンクと前記第２リンクはそれらの長手方向に相互に移動可能に連結されており、前記第３リンクと前記第４リンクはそれらの長手方向に相互に移動可能に連結されており、各リンクの相互移動位置は夫々固定部材により固定されることを特徴とする。
【００１７】
本願第３発明においては、更に、前記各固定部材の第１リンクを支持する位置よりもベッド高さ方向の低位置で回転可能に支持された第５リンクと、前記第２リンクに回転可能に連結された第６リンクと、を有し、前記第５リンクと前記第６リンクはそれらの長手方向に相互に移動可能に連結されており、各リンクの相互移動位置は夫々固定部材により固定されるように構成しても良い。
【発明の効果】
【００１８】
本発明によれば、ベッド用フットレストは、このベッド用フットレストの１対の支持部材がベッドの幅方向の両端部にて、足ボトムに着脱自在に固定されるので、尖足防止対策が必要なときに患者が寝ているベッドにこのベッド用フットレストを装着して、患者の尖足防止対策を行うことができる。また、このベッド用フットレストの１対の回転部材が１対の回転受け部材に対し相対的に回転することにより当て板の角度を調節し、この１対の回転部材が当て板の裏面に形成された１対のガイドに沿って移動することにより当て板のベッドの高さ方向の位置を調節するので、患者の足首の角度に合わせて、患者がその足裏を当て板に当接させることができる。これにより、患者が自分で身体を動かすことなく、患者が尖足になることを防ぐことができる。更に、このベッド用フットレストの回転受け部材がベッドの長手方向に移動するので、ベッド用フットレストのベッドの長手方向の位置を様々な患者の身長に適合させることができる。
【図面の簡単な説明】
【００１９】
【図１】（ａ），（ｂ）は、本願第１発明の実施形態に係るベッド用フットレストを示す斜視図である。
【図２】（ａ），（ｂ）は、本願第１発明の実施形態に係るベッド用フットレストを示す斜視図、（ｃ）は、同じくこのベッド用フットレストを示す正面図である。
【図３】（ａ）は、本願第１発明の実施形態に係るベッド用フットレストを示す背面図、（ｂ）は、同じくこのベッド用フットレストを示す平面図、（ｃ）は、同じくこのベッド用フットレストを示す底面図、（ｄ）は、同じくこのベッド用フットレストを示す側面図である。
【図４】本願第１発明の実施形態に係るベッド用フットレストをベッドに取り付ける方法を示す斜視図である。
【図５】（ａ）は、本願第１発明の実施形態に係るベッド用フットレストをベッドに取り付ける方法を示す側面図、（ｂ）は、同じくこのベッド用フットレストをベッドに取り付ける方法を示す断面図である。
【図６】（ａ）は、本願第１発明の実施形態に係るベッド用フットレストの角度を調節する方法を示す斜視図、（ｂ）乃至（ｄ）は、角度を調節した状態を示す側面図である。
【図７】本願第１発明の実施形態に係るベッド用フットレストを示す断面図である。
【図８】（ａ），（ｂ）は、本願第１発明の実施形態に係るベッド用フットレストのベッドの高さ方向の位置を調節する方法を示す斜視図である。
【図９】（ａ），（ｂ）は、本願第１発明の実施形態に係るベッド用フットレストのベッドの長手方向の位置を調節する方法を示す斜視図である。
【図１０】本願第１発明の第１変形例に係るベッド用フットレストを示す斜視図である。
【図１１】本願第１発明の第２変形例に係るベッド用フットレストを示す斜視図である。
【図１２】本願第２発明の実施形態に係るベッド用フットレストを示す斜視図である。
【図１３】（ａ），（ｂ）は、本願第３発明の実施形態に係るベッド用フットレストを示す斜視図である。
【発明を実施するための形態】
【００２０】
以下、本願第１発明の実施の形態について、添付の図面を参照して具体的に説明する。図１（ａ）及び（ｂ）は、本願第１発明の実施形態に係るベッド用フットレストを示す斜視図、図２（ａ）及び（ｂ）は、本願第１発明の実施形態に係るベッド用フットレストを示す斜視図、図２（ｃ）は、同じくこのベッド用フットレストを示す正面図、図３（ａ）は、本願第１発明の実施形態に係るベッド用フットレストを示す背面図、図３（ｂ）は、同じくこのベッド用フットレストを示す平面図、図３（ｃ）は、同じくこのベッド用フットレストを示す底面図、図３（ｄ）は、同じくこのベッド用フットレストを示す側面図である。図１（ａ）及び（ｂ）に示すように、本実施形態のベッド用フットレスト１は、ベッドの幅方向の両端部にて、足ボトムに着脱自在に固定される１対の支持部材５と、この各支持部材５に対し、ベッドの長手方向に移動可能に且つ移動域の任意の位置で固定可能に設けられた１対の回転受け部材６と、この各回転受け部材６に回転可能に且つ所定の回転位置で固定可能に支持される１対の回転部材７と、表面に被介護者がその足裏を当て、裏面にて前記１対の回転部材７に対しベッドの幅方向に垂直の方向に移動可能に支持された１枚の当て板２と、によって構成される。
【００２１】
先ず、本実施形態のベッド用フットレスト１の１対の支持部材５の構成について説明する。この各支持部材５は、ベッドの長手方向に延びる長片状の板材である第１ベース部材１１を有する。そして、この第１ベース部材１１の下面には、図５に示すように、足ボトム１０２に第１ベース部材１１を固定するための部品である断面Ｕ字形の取付部材１４（破線にて示す）が２個配置されるようになっており、この取付部材１４の水平面には、第１ボトム固定穴１６が形成されている。また、これらの取付部材１４の各第１ボトム固定穴１６に対応する位置の第１ベース部材１１には、第２ボトム固定穴１７が形成されている。そして、この第１ベース部材１１のベッドの足側端部には、足ボトムに当接させて第１ベース部材１１を位置決めするカギ形の係止部１５が第１ベース部材１１と一体となって設けられている。また、第１ベース部材１１の上面において、ベッドの長手方向の２か所に１対の第２ベース部材１２が夫々立設されている。この第２ベース部材１２は、断面Ｌ字の板材であり、一端部が第１ベース部材１１の上面に重ねられ、この一端部からベッドの幅方向外向きにＬ字の折曲部まで延び、このＬ字の折曲部からベッドの高さ方向にベッド用マットレスの厚さ以上の高さを有して延びている。そして、この１対の第２ベース部材１２の上端部には、ベッドの長手方向に延在する第３ベース部材１３が設けられており、この第３ベース部材１３は長片状の板材がベッドの長手方向の両端部にてベッドの幅方向内向きに折曲されて構成されている。この１対の第３ベース部材１３のベッドの長手方向の両端部の折曲部に、ベッドの長手方向に延びる１対のガイド部材４２の両端部が支持されている。このように、本実施形態のベッド用フットレスト１の１対の支持部材５は、図２（ａ）及び（ｂ）に示すように、１対の第１ベース部材１１と、１対の第２ベース部材１２と、１対の第３ベース部材１３と、１対の取付部材１４と、１対の係止部１５と、１対のガイド部材４２と、を有し、取付部材１４は第１ベース部材１１とは別体の部品である。
【００２２】
次に、本実施形態のベッド用フットレスト１の１対の回転受け部材６の構成について説明する。この回転受け部材６は、各支持部材５に対応して設けられている。各回転受け部材６は、前述の第３ベース部材１３に支持されたガイド部材４２の一部を覆う第１移動部４１を有し、この第１移動部４１は、ベッド用フットレスト１のベッドの長手方向の位置を調節するために、ガイド部材４２に沿って摺動する。そして、この回転受け部材６は、第１移動部４１をガイド部材４２に対して固定し又は固定を解除することができる位置調節ノブ４３を有している。そして、１対の第１移動部４１のうち一方の第１移動部４１には、この一方の第１移動部４１から長片状の板材である回転受け支柱２１が第１移動部４１に対して一体的に立設されており、他方の第１移動部４１には、この他方の第１移動部４１から略４分円形状の回転受け部２２が第１移動部４１に対して一体的に立設されている。このように、本実施形態のベッド用フットレスト１の回転受け部材６は、ベッド幅方向の一方の端部に設けられたものが、第１移動部４１と、位置調節ノブ４３と、回転受け支柱２１とから構成され、ベッド幅方向の他方の端部に設けられたものが、第１移動部４１と、位置調節ノブ４３と、回転受け部２２とから構成されている。回転受け部２２には、図６に示すように、回転部材７を回転可能に支持する軸支部２５が設けられており、この軸支部２５から若干離れた位置に、角度調節ノブ２４が設けられている。この角度調節ノブ２４は、図６（ａ）に白抜矢印にて示す方向に弾性力に抗して引くと、後述する回転部材７の回転部２３に設けた孔２７からノブが抜かれて、回転部２３が軸支部２５を中心として回転可能になり、角度調節ノブ２４を離すと、弾性力により角度調節ノブ２４が回転部２３に向けて進出してその孔２７内に嵌合し、回転部２３の回転を阻止し、回転部材７を回転受け部２２に対して固定することができるようになっている。なお、位置調節ノブ４３は、一方の回転受け部材６にのみ設けられていても良い。また本実施形態においては、１対の回転受け部材６のうち一方が回転受け支柱２１を有し、もう一方が回転受け部２２を有するが、１対の回転受け部材６の両方が回転受け部２２を有するようにしても良い。
【００２３】
次に、本実施形態のベッド用フットレスト１の当て板２の構成について説明する。図１（ｂ）に示すように、当て板２の表面は患者がその足裏を当てる面であり、当て板２の裏面には、ベッドの幅方向に垂直の方向に延びる１対のガイド３３が形成されている。この当て板２の表面の足裏を当てる面には、柔軟性を有する軟質素材からなるクッション３が取り付けられている。
【００２４】
次に、本実施形態のベッド用フットレスト１の回転部材７の構成について説明する。各回転部材７は、当て板２の裏面に形成されたガイド３３に沿って移動する第２移動部３１を有する。そして、この回転部材７は、この第２移動部３１をガイド３３に対して固定し又は固定を解除することができる固定部材３２を有している。また、１対の回転部材７は、当て板２に形成されたガイド３３に沿って移動する第２移動部３４を有し、この第２移動部３４は、当て板２の表面に配され、当て板２の裏面に配された第２移動部３１に対して固定部材３２により固定し又は固定を解除することができる。このように、当て板２は、固定部材３２による固定を解除することにより第２移動部３１及び３４とガイド３３との固定を解除することができるので、ベッド用フットレスト１から当て板２を外すことができる。これにより、当て板２が汚れた場合、当て板２をベッド用フットレスト１から外して、清拭、消毒又は洗濯することができる。
【００２５】
また、この回転部材７は、第２移動部３１から立設する略半円形状の回転部２３を有し、一方の回転部材７の回転部２３は、前述した回転受け支柱２１に軸支部２５を軸として回転可能に支持され、他方の回転部材７の回転部２３は、前述した回転受け部２２に軸支部２５を軸として回転可能に支持されている。この１対の回転部材７のうち、回転受け部２２に支持される回転部材７の回転部２３には、軸支部２５を中心とする円弧状に、角度調節ノブ２４が挿入される孔２７が周方向に適長間隔で形成されており、前述の如く、角度調節ノブ２４がこの孔２７内に挿入されることにより、その位置で回転部材７が回転受け部材６に対して固定される。この角度調節ノブ２４が挿入される孔２７を選択することにより、回転部材７が回転受け部材６に対して傾動する角度を調整することができる。また、１対の回転部材７の回転部２３は、ベッドの幅方向に延在する連結軸２６により相互に連結されている。そして、この連結軸２６により、１対の回転部２３のうち一方の回転部２３が回転すると、連動して他方の回転部２３も回転するようになっている。このように、本実施形態のベッド用フットレスト１の回転部材７は、１対の第２移動部３１及び３４と、固定部材３２と、１対の回転部２３と、連結軸２６と、を有している。
【００２６】
次に、本願第１発明に係るベッド用フットレスト１の動作を説明する。図４は、本願第１発明の実施形態に係るベッド用フットレスト１をベッドに取り付ける方法を示す斜視図、図５（ａ）は、本願第１発明の実施形態に係るベッド用フットレスト１をベッドに取り付ける方法を示す側面図、図５（ｂ）は、本願第１発明の実施形態に係るベッド用フットレスト１をベッドに取り付ける方法を示す断面図、図６（ａ）は、本願第１発明の実施形態に係るベッド用フットレスト１の角度を調節する方法を示す斜視図、図６（ｂ）乃至（ｄ）は、角度調節した状態を示す側面図、図７は、本願第１発明の実施形態に係るベッド用フットレスト１を示す断面図、図８（ａ）及び（ｂ）は、本願第１発明の実施形態に係るベッド用フットレスト１のベッドの高さ方向の位置を調節する方法を示す斜視図、図９（ａ）及び（ｂ）は、本願第１発明の実施形態に係るベッド用フットレスト１のベッドの長手方向の位置を調節する方法を示す斜視図である。
【００２７】
先ず、本実施形態のベッド用フットレスト１をベッドに固定する動作を図４及び図５により説明する。図４に示すように、本実施形態のベッド用フットレスト１は、ベッド用フットレスト１の支持部材５がベッドの足ボトム１０２に対して固定されることにより、ベッドに固定される。この足ボトム１０２は、架台１０４の上に設置されたベッドフレーム（図示せず）に取り付けられている。先ず、足ボトム１０２の上面のベッドの幅方向両縁部にベッド用フットレスト１の１対の第１ベース部材１１の下面が当接するように、ベッド用フットレスト１を足ボトム１０２上に載置する。この際、第１ベース部材１１から取付部材１４を外しておく。次に、このベッド用フットレスト１の１対の支持部材５を足ボトム１０２のベッドの足側から頭側へ移動する。そして、支持部材５の係止部１５が足ボトム１０２のベッドの足側を係止するまで移動すると、図５（ａ）に示すように、足ボトム１０２の上面のベッドの幅方向両縁部に第１ベース部材１１の下面が当接し、且つ足ボトム１０２のベッドの足側が係止部１５により係止される。この状態で、図５（ｂ）に示すように、予め外しておいた取付部材１４を足ボトム１０２の下面側から第１ベース部材１１の取付位置に足ボトム１０２を挟んであてがい、足ボトム１０２の下面側から取付部材１４に形成された第１ボトム固定穴１６にボトム固定部材５１を挿通し、このボトム固定部材５１が第１ベース部材１１に形成された第２ボトム固定穴１７を通って、足ボトム１０２の上面側のボトム固定部材５２に締結されることによって、支持部材５が足ボトム１０２に固定される。これにより、ベッド用フットレスト１がベッドに固定される。
【００２８】
このように、本実施形態のベッド用フットレスト１は、ベッド用フットレスト１の支持部材５が足ボトム１０２に対して着脱自在に固定されることによりベッドに着脱自在に固定されるので、患者の尖足防止対策が必要なときに、患者が普段寝ているベッドにこのベッド用フットレスト１を装着して、患者の尖足防止対策を行うことができる。また、本実施形態のベッド用フットレスト１の支持部材５は足ボトム１０２に対して固定され、この足ボトム１０２はベッドのフレームに支持されているので、ベッド用フットレスト１の当て板２に対し患者が足を踏ん張っても、ベッドに固定されたベッド用フットレスト１の位置がずれたり、ベッドから外れてしまう虞もない。
【００２９】
次に、本実施形態のベッド用フットレスト１の当て板２の角度を調節する動作を図６により説明する。図６（ａ）に示すように、角度調節ノブ２４によって回転部２３を回転受け部２２に対し固定している状態から、角度調節ノブ２４を緩め、回転部２３を回転受け部２２に対して固定解除する。これにより、回転部２３は、軸支部２５を軸として回転可能となる。この状態から、回転部２３を軸支部２５を軸として回転することによって、当て板２とマットレス１０１とのなす角度を調節する。このように回転部２３を回転した後、角度調節ノブ２４を締め、回転部２３を回転受け部２２に対して固定することにより、当て板２を所望の角度に調節することができる。これにより、例えば図６（ｂ）に示すように当て板２とマットレス１０１とのなす角度を９０°にしたり、図６（ｃ）に示すように当て板２とマットレス１０１とのなす角度を６２°にしたり、図６（ｄ）に示すように当て板２とマットレス１０１とのなす角度を４５°にしたりすることができる。
【００３０】
一方、図７に示すように、ベッド用フットレスト１を使用する際、ベッド用フットレスト１の当て板２の角度を調節する等により、この当て板２とマットレス１０１との間に間隙６１が生じる場合がある。このように当て板２とマットレス１０１との間に間隙６１が生じると、患者がその足裏を当て板２に適切に当接させることができないので、当て板２のベッドの高さ方向の位置を調節することによって、この間隙６１をなくし当て板２とマットレス１０１の上面とを当接させる必要がある。以下に、本実施形態のベッド用フットレスト１の当て板２のベッドの高さ方向の位置を調節する動作を図８により説明する。図８（ａ）に示すように、固定部材３２によって第２移動部３１を当て板２に形成されたガイド３３に対し固定している状態から、固定部材３２による固定を解除し、第２移動部３１をガイド３３に沿って移動可能にする。次に、図８（ｂ）に示すように、第２移動部３１をガイド３３に沿って移動させることによって、当て板２は第２移動部３１に対してベッドの高さ方向に相対的に移動する。このように第２移動部３１をガイド３３に沿って移動させた後、固定部材３２によって第２移動部３１をガイド３３に対して固定することにより、当て板２のベッドの高さ方向の位置を所望の位置に調節することができる。その際、当て板２がマットレス１０１の上面に当接するように当て板２の位置を調節することによって、当て板２の角度を調節したとき等に生じる当て板２とマットレス１０１との間隙６１をなくすことができる。
【００３１】
このように、本実施形態におけるベッド用フットレスト１は、前述した当て板２の角度及びベッドの高さ方向の位置を調節することによって、患者の足首の角度に合わせて、患者がその足裏を当て板２に当接させることができるので、患者が自分で足を動かすことなく、患者が尖足になることを防ぐことができる。このとき、患者がその足裏を当て板２に当接させる角度を常に同じ角度にするだけでなく所定時間毎に異なる角度に変更することによって、患者の足首の角度を所定時間毎に変化させることができるので、患者の足首が一定の角度で固定されることがなく患者が尖足になることを防ぐことができる。また、患者が足首の角度を一定の角度で維持することに対し痛みを感じる場合、当て板２の角度を調節し、この当て板２の角度を患者が痛みを感じない足首の角度に合わせることによって、患者が痛みを感じずにその足裏を当て板２に当接させることができる。更に、例えばこの当て板２を患者の足のサイズよりも大きくし、患者に掛けられた掛け布団が当て板２に掛かるようにすれば、患者の足に直接掛け布団が掛かることがないので、掛け布団からの足への圧迫を防ぎ患者が尖足になることを防ぐことができる。
【００３２】
次に、本実施形態に係るベッド用フットレスト１の当て板２のベッドの長手方向の位置を調節する動作を説明する。図９（ａ）に示すように、位置調節ノブ４３によって第１移動部４１をガイド部材４２に対し固定している状態から、位置調節ノブ４３を緩め、第１移動部４１をガイド部材４２に対して固定解除する。これにより、第１移動部４１は、ガイド部材４２に沿って移動可能となる。次に、図９（ｂ）に示すように、第１移動部４１をガイド部材４２に沿って移動させることによって、当て板２のベッドの長手方向の位置を調節する。このように、第１移動部４１をガイド部材４２に沿って移動させた後、位置調節ノブ４３を締め、第１移動部４１をガイド部材４２に対して固定することにより、当て板２のベッドの長手方向の位置を所望の位置に調節することができる。これにより、当て板２の位置を患者の身長に適合させれば、患者をベッド上で移動させることなく、患者がその足裏を当て板２に当接させることができる。
【００３３】
次に、本願第１発明の第１変形例について、添付の図面を参照して具体的に説明する。図１０は、本願第１発明の第１変形例に係るベッド用フットレストを示す斜視図である。図１０に示すように、本実施形態においては、本願第１発明の実施形態に係るベッド用フットレスト１の当て板２の患者の足裏を当てる面に、ベッドの幅方向に２つの異なる厚さのクッション４が取付けられている。これにより、本実施形態においては、片足が麻痺し両足の足先が揃わない患者がベッドのマットレスに寝ているときにおいても、両足に当接するクッション４の厚さが異なるので、患者がその両方の足裏をクッション４に当接させることができる。
【００３４】
次に、本願第１発明の第２変形例について、添付の図面を参照して具体的に説明する。図１１は、本願第１発明の第２変形例に係るベッド用フットレストを示す斜視図である。図１１に示すように、本実施形態においては、本願第１発明の実施形態に係るベッド用フットレスト１における１対の支持部材５のうち、１対の第１ベース部材１１、１対の第２ベース部材１２、１対の取付部材１４及び１対の係止部１５が同じ構成であり、１対の第２ベース部材１２の上端部には、ベッドの長手方向に延びる長片状の板材である１対の第４ベース部材７２が設けられている。
【００３５】
そして、この第２変形例における回転受け部材６は、１対の第４ベース部材７２の一部を覆う１対の第３移動部７１を有し、この第３移動部７１は、ベッド用フットレスト１のベッドの長手方向の位置を調節するものである。また、この第２変形例における回転受け部材６は、この１対の第３移動部７１を１対の第４ベース部材７２に対して固定し又は固定を解除することができる位置調節ノブ７３を有している。また、第２変形例における回転受け部材６は、１対の断面Ｌ字の板材を有しており、この１対の断面Ｌ字の板材は１対の第３移動部７１からベッドの幅方向内向きにＬ字の折曲部まで延び、このＬ字の折曲部からベッドの高さ方向に立設している。この１対の断面Ｌ字の板材には、略４分円形状の回転受け部２２が断面Ｌ字の板材と一体となって立設されている。
【００３６】
そして、この第２変形例における１対の回転部材７は、本願第１発明の実施形態における１対の回転部材７のうち、１対の第２移動部３１、固定部材３２及び１対の回転部２３が同じ構成であり、またこのうち１対の回転部２３の両方が、角度調節ノブ２４によって回転受け部２２に対して固定し又は固定を解除することができるように構成されている。この構成により、本願第１発明の実施形態と同様に、当て板２の角度を調節することができる。そして、この１対の第２移動部３１には、患者がその足裏を当接させる１対の当て板７４が固定部材３２によって夫々固定され、この当て板７４の裏面には、ベッドの幅方向に垂直の方向に延びるガイド３３が形成されている。この構成により、本願第１発明の実施形態と同様に、当て板２のベッドの高さ方向の位置を調節することができる。つまり、第２変形例に係るベッド用フットレスト１は、１対の当て板７４を有し、この１対の当て板７４の角度、ベッドの高さ方向の位置及びベッドの長手方向の位置を夫々調節することができる構成となっている点が、本願第１発明の実施形態と異なる。
【００３７】
このように、本願第１発明の第２変形例においては、片足が麻痺し両足の足先が揃わない患者がベッドのマットレスに寝ているときにおいても、患者がその両方の足裏を当て板７４に当接させることができるように、当て板７４の角度及びベッドの長手方向の位置を夫々調節し、更に患者の各足の長さに適合するように１対の当て板７４のベッドの長手方向の位置を夫々調節することができる。これにより、本実施形態においては、両足の足先が揃わない患者がベッドのマットレスに寝ているときにおいても、患者がその両方の足裏を１対の当て板７４に取り付けた１対のクッション７５に当接させることができる。
【００３８】
次に、本願第２発明の実施の形態について、添付の図面を参照して具体的に説明する。図１２は、本願第２発明の実施形態に係るベッド用フットレストを示す斜視図である。図１２に示すように、本実施形態に係るベッド用フットレスト１は、ベッドのフットボード１０３に装着可能の基部８１と、ベッドの幅方向に延び、前記基部８１に固定された支持軸８２と、この支持軸８２におけるベッドの幅方向の２カ所に、回転可能に且つ所定の回転位置で固定可能に支持される１対の支持部と、各支持部に一体的に設けられ患者がその足裏を当てる１対の当て板８３と、によって構成される。なお、本実施形態における基部８１は、ベッドの上下方向に移動するようにしても良い。
【００３９】
このように、本願第２発明の実施形態のベッド用フットレスト１は、ベッド用フットレスト１の基部８１がフットボード１０３に対して着脱自在に固定されることによりベッドに着脱自在に固定されるので、患者の尖足防止対策が必要なときだけ患者が普段寝ているベッドにこのベッド用フットレスト１を装着して、患者の尖足防止対策を行うことができる。
【００４０】
次に、本願第３発明の実施の形態について、添付の図面を参照して具体的に説明する。図１３（ａ）及び（ｂ）は、本願第３発明の実施形態に係るベッド用フットレストを示す斜視図である。図１３（ａ）に示すように、本実施形態に係るベッド用フットレスト１は、ベッドの両側部にて足ボトム１０２に立設された１対の固定部材２０１と、患者がその足裏を当てる当て板２と、この当て板２を支持する当て板支持部２０３と、第１乃至第６リンクと、を有する。第１リンク２０２は、各固定部材２０１のベッドの高さ方向の高位置で回転可能に支持された棒状部材であり、第５リンク２０７は、各固定部材２０１のベッドの高さ方向の低位置で回転可能に支持された中空の棒状部材である。そして、当て板２を支持する当て板支持部２０３は、当て板２の裏面におけるベッド幅方向の２カ所にて、ベッドの幅方向に垂直の方向に延在している。また、この各当て板支持部２０３の両端部には、当て板２に垂直の方向に立設する折曲部が設けられており、各当て板支持部２０３におけるベッドの高さ方向の低位置の折曲部では中空の棒状部材である第２リンク２０４が回転可能に支持され、各当て板支持部２０３におけるベッドの高さ方向の高位置の折曲部では中空の棒状部材である第３リンク２０５が回転可能に支持されている。更に、第４リンク２０６は、各第２リンク２０４に回転可能に連結された棒状部材であり、第６リンク２０８は、各第２リンク２０４に回転可能に連結された棒状部材である。
【００４１】
この第２リンク２０４は第１リンク２０２に対し大径であり、この第２リンク２０４の中に第１リンク２０２を挿入して連結することによって、第１リンク２０２と第２リンク２０４はそれらの長手方向に相互に移動可能となっており、第１調節ノブ２１１によって、第１リンク２０２と第２リンク２０４との相互の移動域の任意の位置で固定し又は固定を解除することができる。また、第３リンク２０５は第４リンク２０６に対し大径であり、この第３リンク２０５の中に第４リンク２０６を挿入して連結することによって、第３リンク２０５と第４リンク２０６はそれらの長手方向に相互に移動可能となっており、第２調節ノブ２１２によって、第３リンク２０５と第４リンク２０６との相互の移動域の任意の位置で固定し又は固定を解除することができる。更に、第５リンク２０７は第６リンク２０８に対し大径であり、この第５リンク２０７に第６リンク２０８を挿入して連結することによって、第５リンク２０７と第６リンク２０８はそれらの長手方向に相互に移動可能となっており、第３調節ノブ２１３によって、第５リンク２０７と第６リンク２０８との相互の移動域の任意の位置で固定し又は固定を解除することができる。なお、本実施形態において、第５リンク２０７、第６リンク２０８及び第３調節ノブ２１３を省略しても良い。これにより、部品数を減らすことができる。
【００４２】
以下に、本実施形態に係るベッド用フットレスト１の動作を説明する。図１３（ａ）は、ベッド用フットレスト１の当て板２がマットレス１０１に対し直角の状態であり、図１３（ｂ）は、当て板２がマットレス１０１に対し鋭角又は鈍角の状態である。先ず、図１３（ａ）の状態から、本実施形態のベッド用フットレスト１の第１調節ノブ２１１、第２調節ノブ２１２及び第３調節ノブ２１３を緩め、第１リンク２０２と第２リンク２０４との固定を解除し、第３リンク２０５と第４リンク２０６との固定を解除し、第５リンク２０７と第６リンク２０８との固定を解除する。これにより、第１リンク２０２と第２リンク２０４はそれらの長手方向に相互に移動可能となり、第３リンク２０５と第４リンク２０６はそれらの長手方向に相互に移動可能となり、第５リンク２０７と第６リンク２０８はそれらの長手方向に相互に移動可能となる。この状態から、当て板２をベッドの頭側に引くと、この当て板２が移動すると共に、第１リンク２０２が第２リンク２０４から引き出され、第５リンク２０７から第６リンク２０８が引き出され、第３リンク２０５の中に第４リンク２０６が差し込まれる。この後、第１調節ノブ２１１、第２調節ノブ２１２及び第３調節ノブ２１３を締め、第１リンク２０２と第２リンク２０４とを固定し、第３リンク２０５と第４リンク２０６とを固定し、第５リンク２０７と第６リンク２０８とを固定することにより、図１３（ｂ）に示すように当て板２をマットレス１０１に対して所望の角度に調節することができる。
【００４３】
このように、本願第３発明の実施形態におけるベッド用フットレスト１は、前述したように当て板２の角度を調節することによって、患者の足首の角度に合わせて、患者がその足裏を当て板２に当接させることができるので、患者が自分で足を動かすことなく、患者が尖足になることを防ぐことができる。
【符号の説明】
【００４４】
１：ベッド用フットレスト、２：当て板、３：クッション、４：クッション、５：支持部材、６：回転受け部材、７：回転部材、１１：第１ベース部材、１２：第２ベース部材、１３：第３ベース部材、１４：取付部材、１５：係止部、１６：第１ボトム固定穴、１７：第２ボトム固定穴、２１：回転受け支柱、２２：回転受け部、２３：回転部、２４：角度調節ノブ、２５：軸支部、２６：連結軸、２７：孔、３１：第２移動部、３２：固定部材、３３：ガイド、３４：第２移動部、４１：第１移動部、４２：ガイド部材、４３：位置調節ノブ、５１：ボトム固定部材、５２：ボトム固定部材、６１：間隙、７１：第３移動部、７２：第４ベース部材、７３：位置調節ノブ、７４：当て板、７５：クッション、８１：基部、８２：支持軸、８３：当て板、１０１：マットレス、１０２：足ボトム、１０３：フットボード、１０４：架台、２０１：固定部材、２０２：第１リンク、２０３：当て板支持部、２０４：第２リンク、２０５：第３リンク、２０６：第４リンク、２０７：第５リンク、２０８：第６リンク、２１１：第１調節ノブ、２１２：第２調節ノブ、２１３：第３調節ノブ
【図１】
2013223544.tif 000003
【図２】
2013223544.tif 000004
【図３】
2013223544.tif 000005
【図４】
2013223544.tif 000006
【図５】
2013223544.tif 000007
【図６】
2013223544.tif 000008
【図７】
2013223544.tif 000009
【図８】
2013223544.tif 000010
【図９】
2013223544.tif 000011
【図１０】
2013223544.tif 000012
【図１１】
2013223544.tif 000013
【図１２】
2013223544.tif 000014
【図１３】
2013223544.tif 000015